(57)【要約】【課題】多数の操作スイッチを有する電池式コンロにおいて、調理開始時に最初に操作される操作スイッチを電源スイッチとして兼用する。【解決手段】電源スイッチ兼用操作スイッチＳＷ１〜ＳＷ４への作動電圧の供給経路を２つ設け、第１の供給経路はマイクロプロセッサ１に制御電源電圧が供給されていないときに閉じるとともにマイクロプロセッサ１に制御電源電圧が供給されているときに開くように構成し、第２の供給経路はマイクロプロセッサ１による操作スイッチのスキャン制御によって開閉制御されるものとする。また、マイクロプロセッサ１に制御電源電圧が供給されていないときにスイッチＳＷ１〜ＳＷ４を操作すると、第１の供給経路を介してスイッチＳＷ１〜ＳＷ４に供給される作動電圧に基づく検出信号によってマイクロプロセッサ１への制御電源電圧の供給を行い、マイクロプロセッサ１を起動させる。【選択図】図１
2016217677.tif 000002
【特許請求の範囲】
【請求項１】
電池と、制御部と、前記電池から前記制御部に制御電源電圧を供給する制御電源供給経路と、作動電圧が供給されているときに操作されると操作検出信号を出力する操作部と、前記電池から前記操作部に前記作動電圧を供給する電源オン時操作電源供給経路及び電源オフ時操作電源供給経路とを備え、
前記制御部は、前記制御電源電圧が供給されると自己保持信号の出力制御を行うよう構成され、
前記制御電源供給経路は第１の開閉手段により開閉可能に構成され、前記第１の開閉手段は、前記制御部が前記自己保持信号を出力している間、前記制御電源供給経路を閉じるように構成され、
前記電源オフ時操作電源供給経路は第２の開閉手段により開閉可能に構成され、前記第２の開閉手段は、前記制御部が前記自己保持信号を出力している間は前記電源オフ時操作電源供給経路を開くとともに、前記制御部が前記自己保持信号を出力していない間は前記電源オフ時操作電源供給経路を閉じるように構成され、
前記電源オン時操作電源供給経路は前記制御部によって開閉制御され、
前記操作部は、閉じた状態の前記電源オン時操作電源供給経路を介して前記作動電圧が供給されているときに操作されると前記操作検出信号を制御部に出力し、前記制御電源電圧が供給されている前記制御部は、前記操作検出信号に基づいて前記操作部の操作を検出し、
さらに、前記操作部は、閉じた状態の前記電源オフ時操作電源供給経路を介して前記作動電圧が供給されているときに操作されると前記操作検出信号を前記第１の開閉手段に出力し、前記第１の開閉手段は、前記制御部が前記自己保持信号を出力していなくても前記操作検出信号が入力されると前記制御電源供給経路を閉じるように構成され、
前記第１の開閉手段は、前記自己保持信号及び前記操作検出信号のいずれも入力しないときは前記制御電源供給経路を開くよう構成されていることを特徴とする操作検出回路。
【請求項２】
請求項１に記載の操作検出回路を備える電池式コンロであって、前記電源オフ時操作電源供給経路を介して前記作動電圧を供給可能に構成されて前記操作部として機能する調理設定用スイッチと、その他の操作スイッチとを備えていることを特徴とする電池式コンロ。
【発明の詳細な説明】
【技術分野】
【０００１】
本発明は、操作スイッチなどの操作部の操作を検出するための操作検出回路、並びに、該操作検出回路を具備する電池式コンロに関する。
【背景技術】
【０００２】
電池式コンロにおいては、消費電力の節減が重要かつ永続的な課題であり、電源が投入されたまま放置されることを防止するために、例えば本願出願人が下記の特許文献１に開示したように、マイコン（制御部）自身が自己保持信号を出力している間は電池から電源電圧がマイコンに供給される一方、マイコンが自己保持信号の出力を停止するとマイコンへの電源電圧の供給経路が遮断されるようにするとともに、電源スイッチを操作するとマイコンへの電源電圧の供給経路が閉じて電源電圧がマイコンに供給され、これによりマイコンが再起動して自己保持信号の出力制御を再開するように構成している。
【０００３】
また、近年、電池式コンロにおいても多機能高機能化しつつあり、種々の調理モードに応じた調理設定スイッチが多数設けられたものが増えつつある。調理設定スイッチとは別に点火操作を行うための器具栓も設けられており、通常、器具栓操作に伴いマイコンに電源電圧が供給されるよう構成されているが、点火開始前から調理設定スイッチを用いて調理設定を行うためには、まず電源スイッチを押下してマイコンに電源電圧を供給する必要がある。
【先行技術文献】
【特許文献】
【０００４】
【特許文献１】特開２０１４−２５６５０号公報
【発明の概要】
【発明が解決しようとする課題】
【０００５】
しかし、調理設定スイッチとは別の箇所に配置されている電源スイッチを押し、さらにそこから調理設定スイッチを押すという操作は煩雑であり、ユーザーがコンロ使用時に手間がかかるという問題がある。
【０００６】
そこで、本発明は、調理設定スイッチを電源スイッチとしても兼用できる操作検出回路、並びに、該操作検出回路を具備する電池式コンロを提供することを目的とする。
【課題を解決するための手段】
【０００７】
上記目的を達成するために、本発明は、次の技術的手段を講じた。
【０００８】
すなわち、本発明の操作検出回路は、電池と、制御部と、前記電池から前記制御部に制御電源電圧を供給する制御電源供給経路と、作動電圧が供給されているときに操作されると操作検出信号を出力する操作部と、前記電池から前記操作部に前記作動電圧を供給する電源オン時操作電源供給経路及び電源オフ時操作電源供給経路とを備え、前記制御部は、前記制御電源電圧が供給されると自己保持信号の出力制御を行うよう構成され、前記制御電源供給経路は第１の開閉手段により開閉可能に構成され、前記第１の開閉手段は、前記制御部が前記自己保持信号を出力している間、前記制御電源供給経路を閉じるように構成され、前記電源オフ時操作電源供給経路は第２の開閉手段により開閉可能に構成され、前記第２の開閉手段は、前記制御部が前記自己保持信号を出力している間は前記電源オフ時操作電源供給経路を開くとともに、前記制御部が前記自己保持信号を出力していない間は前記電源オフ時操作電源供給経路を閉じるように構成され、前記電源オン時操作電源供給経路は前記制御部によって開閉制御され、前記操作部は、閉じた状態の前記電源オン時操作電源供給経路を介して前記作動電圧が供給されているときに操作されると前記操作検出信号を制御部に出力し、前記制御電源電圧が供給されている前記制御部は、前記操作検出信号に基づいて前記操作部の操作を検出し、さらに、前記操作部は、閉じた状態の前記電源オフ時操作電源供給経路を介して前記作動電圧が供給されているときに操作されると前記操作検出信号を前記第１の開閉手段に出力し、前記第１の開閉手段は、前記制御部が前記自己保持信号を出力していなくても前記操作検出信号が入力されると前記制御電源供給経路を閉じるように構成され、前記第１の開閉手段は、前記自己保持信号及び前記操作検出信号のいずれも入力しないときは前記制御電源供給経路を開くよう構成されていることを特徴とするものである（請求項１）。
【０００９】
かかる本発明の操作検出回路によれば、第１の開閉手段に自己保持信号及び操作検出信号が入力されていないときは、制御電源供給経路を開くことにより制御部への制御電源電圧の供給を遮断し、これにより制御部における待機電力分の電力消費を削減できる。かかる電源断状態でユーザーが操作部を操作すると、操作検出信号が第１の開閉手段に出力され、該操作検出信号によって制御電源供給経路が閉じて制御部に制御電源電圧が供給されて、制御部が起動する。制御部は、起動すると自己保持信号の出力を開始し、所定の電源断条件（例えば、いずれの調理モードも実行されておらず所定時間以上何らの操作もされていないときや、所定の電源断操作がなされた場合など）を満たすまで継続的に自己保持信号を出力することにより制御部自身への制御電源電圧の供給を継続させるとともに、電源断条件を満たすと自己保持信号の出力を停止することにより制御部自身への制御電源電圧の供給を遮断する。
【００１０】
また、制御部に制御電源電圧が供給され、制御部が自己保持信号を出力しているときは、第２の開閉手段によって電源オフ時操作電源供給経路が開かれ、これにより電源オフ時操作電源供給経路から操作部への作動電圧の供給が遮断される。したがって、起動中の制御部は、電源オン時操作電源供給経路を開閉制御することにより必要に応じて操作部に作動電圧を供給したり作動電圧の供給を遮断したりすることができ、操作部に常時作動電圧を供給する必要がないので、これにより起動中の消費電力を低減できる。かかる特徴により、ダイナミックスキャン回路を構成する多数の操作スイッチの内の一部の操作スイッチを上記操作部として機能させることが可能である。
【００１１】
また、本発明は、上記操作検出回路を備える電池式コンロであって、前記電源オフ時操作電源供給経路を介して前記作動電圧を供給可能に構成されて前記操作部として機能する調理設定用スイッチと、その他の操作スイッチとを備えていることを特徴とするものである（請求項２）。かかる本発明の電池式コンロによれば、調理開始時に最初に操作される可能性の高い調理設定スイッチ、特に調理モード選択スイッチなど、を操作することによって制御部に制御電源電圧を供給し、制御部を起動させることができるので、調理開始時に離れた箇所に設けられた複数のスイッチを連続操作する必要がなく、実際に操作した調理設定スイッチの操作のみで電源を投入して調理設定を始めることができる。
【００１２】
なお、操作部は、コンロの操作パネルに配置された各種操作スイッチであってもよく、また、器具栓であってもよい。さらに、操作部は、操作されたときに作動電圧をそのまま操作検出信号電圧として出力する単純なスイッチであってもよいし、操作されたときに作動電圧に基づいて操作検出信号を生成出力するタッチパネルその他のスイッチ装置であってもよい。また、第１及び／又は第２の開閉手段は、制御部の外部に設けられていてもよく、また、制御部に内蔵されていてもよい。また、各開閉手段は、それぞれ一又は複数のスイッチング素子により構成されたスイッチング回路によって構成できる。また、電源オン時操作電源供給経路は、自己保持信号の出力制御とは別に制御部によって開閉制御することができる。
【発明の効果】
【００１３】
以上説明したように、本発明の請求項１に係る操作検出回路によれば、第１の開閉手段に何ら入力信号が入力されていないときは、制御電源供給経路を開くことにより制御部への制御電源電圧の供給を遮断し、これにより制御部における待機電力分の電力消費を削減できる。かかる電源断状態でユーザーが操作部を操作すると、操作検出信号が第１の開閉手段に出力され、該操作検出信号によって制御電源供給経路が閉じて制御部に制御電源電圧が供給されて、制御部が起動する。制御部は、起動すると自己保持信号の出力を開始し、所定の電源断条件（例えば、いずれの調理モードも実行されておらず所定時間以上何らの操作もされていないときや、所定の電源断操作がなされた場合など）を満たすまで継続的に自己保持信号を出力することにより制御部自身への制御電源電圧の供給を継続させるとともに、電源断条件を満たすと自己保持信号の出力を停止することにより制御部自身への制御電源電圧の供給を遮断する。また、制御部に制御電源電圧が供給され、制御部が自己保持信号を出力しているときは、第２の開閉手段によって電源オフ時操作電源供給経路が開かれ、これにより電源オフ時操作電源供給経路から操作部への作動電圧の供給が遮断される。したがって、起動中の制御部は、電源オン時操作電源供給経路を開閉制御することにより必要に応じて操作部に作動電圧を供給したり作動電圧の供給を遮断したりすることができ、操作部に常時作動電圧を供給する必要がないので、これにより起動中の消費電力を低減できる。かかる特徴により、ダイナミックスキャン回路を構成する多数の操作スイッチの内の一部の操作スイッチを上記操作部として機能させることが可能である。
【００１４】
また、本発明の請求項２に係る電池式コンロによれば、調理開始時に最初に操作される可能性の高い調理設定スイッチ、特に調理モード選択スイッチなど、を操作することによって制御部に制御電源電圧を供給し、制御部を起動させることができるので、調理開始時に離れた箇所に設けられた複数のスイッチを連続操作する必要がなく、実際に操作した調理設定スイッチの操作のみで電源を投入して調理設定を始めることができる。
【図面の簡単な説明】
【００１５】
【図１】本発明の第１の実施形態に係る操作検出回路の概略回路図である。
【図２】本発明の第２の実施形態に係る操作検出回路の概略回路図である。
【発明を実施するための形態】
【００１６】
以下、本発明の好適な実施形態を図面に基づいて説明する。
【００１７】
図１は、本発明の第１の実施形態に係る操作検出回路の回路構成を示しており、該操作検出回路は、特に電池式ガスコンロの多数の操作スイッチの操作検出回路として好適に用いることができるものである。ガスコンロは、電池を電源として動作するものであり、例えば各種調理モードを備えた近年のコンロの場合には、左コンロ用の各種操作スイッチ、中コンロ用の各種操作スイッチ及び右コンロ用の各種操作スイッチがそれぞれ５〜８つ程度設けられ、さらに、グリル用の各種操作スイッチが複数個設けられるため、総計数十個ものスイッチが設けられる。各スイッチは、軽く触れるだけで操作できる機械式若しくは静電式のタッチスイッチを採用することができる。該スイッチは操作を止めると初期状態に自動的に戻る構成のものを採用するのが好ましい。また、各スイッチは、操作されていない状態が非導通状態で操作されると導通状態となるものを用いることができる。
【００１８】
本実施形態の操作検出回路は、電池式ガスコンロの制御基板及び／又は操作基板上に実装することができ、コンロの各種動作を制御する制御部として機能するマイクロプロセッサ１と、マイクロプロセッサ１の電源となる電池２と、電池２からマイクロプロセッサ１に制御電源電圧を供給する制御電源供給経路と、多数の操作スイッチＳＷ１〜ＳＷ６とを備えている。なお、図１においては設定スイッチとして６つのみ例示しているが、数十個の操作スイッチを同様に設けることができる。
【００１９】
制御電源供給経路は、電池２の正極からマイクロプロセッサ１のＶｃｃポートに至る電路によって構成されている。制御電源供給経路の途中には、ｐチャンネル型ＦＥＴからなるスイッチング素子Ｑ１が設けられている。該スイッチング素子Ｑ１のゲート（駆動信号入力部）は、プルアップ抵抗Ｒ１を介して電池２の正極に接続されているとともに、並列に設けられた２つのｎｐｎ型トランジスタからなるスイッチング素子Ｑ２，Ｑ３を介してグラウンドに接地されている。各スイッチング素子Ｑ２，Ｑ３のベース（駆動信号入力部）はそれぞれプルダウン抵抗Ｒ２，Ｒ３を介してグラウンドに接続されている。また、一方のスイッチング素子Ｑ２のベースは、マイクロプロセッサ１の自己保持出力ポートに接続されており、マイクロプロセッサ１から自己保持信号電圧がスイッチング素子Ｑ２に出力されるとスイッチング素子Ｑ２がオンしてスイッチング素子Ｑ１のゲートがグラウンドに接地され、これによりスイッチング素子Ｑ１がオンして電池電圧に基づく制御電源電圧がマイクロプロセッサ１に供給される。また、もう一つのスイッチング素子Ｑ３のベースは、後述するスイッチマトリックス回路５の出力部に逆流防止ダイオードＤ１を介して接続されており、スイッチマトリックス回路５から操作検出信号電圧が出力されるとスイッチング素子Ｑ３がオンしてスイッチング素子Ｑ１のゲートがグラウンドに接地され、これによってもスイッチング素子Ｑ１がオンして電池電圧に基づく制御電源電圧がマイクロプロセッサ１に供給される。なお、制御電源電圧と電池電圧とは同じでなくてもよく、スイッチング素子Ｑ１に直列に適宜の電流制限抵抗Ｒｄを設けることができる。
【００２０】
而して、上記スイッチング素子Ｑ１〜Ｑ３によって、自己保持信号電圧若しくは操作検出信号電圧を入力すると制御電源供給経路を閉じて制御電源電圧をマイクロプロセッサ１に供給するとともに、自己保持信号電圧及び操作検出信号電圧のいずれも入力しないときは制御電源供給経路を開いて制御電源電圧の供給を遮断する第１の開閉手段が回路構成されている。なお、上記スイッチング素子Ｑ２，Ｑ３と並列にさらに一又は複数のスイッチング素子を同様に接続して、自己保持信号電圧及び操作検出信号電圧とは別の適宜の信号入力によっても第１の開閉手段を閉じて制御電源電圧がマイクロプロセッサ１に供給されるように構成することもできる。
【００２１】
マイクロプロセッサ１の多数のＩ／Ｏポートのうち複数（図示例では３つ）のポートは走査用出力ポート（ＣＯＭ１〜３）として設定され、さらに別の複数（図示例では２つ）のＩ／Ｏポートは検出信号入力ポート（ＳＷ入力１〜２）として設定されている。
【００２２】
本実施形態の操作入力回路は、複数の走査信号線３と複数の検出信号線４とが上記複数のスイッチＳＷ１〜６を介してマトリックス状に接続されてなるスイッチマトリックス回路５を備えている。走査信号線３の本数は走査用出力ポートの数と同一であり、各走査信号線３がそれぞれ別の走査用出力ポートに対応しており、各走査用出力ポートから位相をずらした作動パルス信号電圧（作動電圧）を出力することによって、複数の走査信号線３を順次オン状態（例えば１．８Ｖ）とすることにより、多数のスイッチＳＷ１〜Ｓ６を低消費電力でダイナミックスキャン可能に構成している。上記作動パルス信号電圧は、マイクロプロセッサ１に内蔵されたスイッチング素子Ｑ４〜Ｑ６をオン／オフ制御することによって出力される。すなわち、本実施形態では、マイクロプロセッサ１を介してスイッチマトリックス回路５を構成する各操作スイッチＳＷ１〜ＳＷ６に電池電圧に基づく作動電圧を供給可能に構成しており、これにより電池２から各操作スイッチＳＷ１〜ＳＷ６に作動電圧を供給する電源オン時操作電源供給経路が構成されている。
【００２３】
図１に示した例ではＣＯＭ１出力ポートに接続した走査信号線３に２つの操作スイッチＳＷ１，ＳＷ２が並列接続され、ＣＯＭ２ポートに接続した走査信号線３に２つの操作スイッチＳＷ３，ＳＷ４が並列接続され、ＣＯＭ３ポートに接続した走査信号線３の２つの操作スイッチＳＷ５，ＳＷ６が並列接続されている。並列接続された操作スイッチはそれぞれ異なる検出信号線４に接続されている。したがって、マイクロプロセッサ１は、現在ＨＩＧＨ出力中の走査用出力ポートと操作検出信号電圧が入力された検出信号入力ポートとの組み合わせによって、多数の操作スイッチＳＷ１〜ＳＷ６のうちどの操作スイッチが操作されたかを検出可能である。
【００２４】
また、本実施形態では、多数の操作スイッチＳＷ１〜ＳＷ６のうち、調理設定開始時に最初に操作される可能性の高い操作スイッチＳＷ１〜ＳＷ４は電源スイッチとして兼用可能な電源スイッチ兼用操作スイッチ（操作部）として構成されており、マイクロプロセッサ１への制御電源電圧が上記第１の開閉手段によって遮断されているときに電源スイッチ兼用操作スイッチＳＷ１〜ＳＷ４を操作すると、第１の開閉手段によって制御電源供給経路が閉じて制御電源電圧がマイクロプロセッサ１に供給され、これによりマイクロプロセッサ１を起動可能に構成している。
【００２５】
すなわち、本実施形態の入力検出回路は、電池２から電源スイッチ兼用操作スイッチＳＷ１〜ＳＷ４に作動電圧を供給する電源オフ時操作電源供給経路を備えており、該経路は、電池２の正極から電源スイッチ兼用操作スイッチＳＷ１〜ＳＷ４の正極側端子に至る電路によって構成され、該電路の途中には、ｎチャンネル型ＦＥＴからなるスイッチング素子Ｑ７が設けられている。該スイッチング素子Ｑ７のゲートは、プルアップ抵抗Ｒ７を介して電池２の正極に接続されているとともに、ｎｐｎ型トランジスタからなるスイッチング素子Ｑ８を介してグラウンドに接続されている。スイッチング素子Ｑ８のベースは、プルダウン抵抗Ｒ８を介してグラウンドに接地されているとともに、マイクロプロセッサ１の上記自己保持出力ポートに接続されている。したがって、マイクロプロセッサ１から自己保持信号電圧が出力されていないときは、スイッチング素子Ｑ８がオフしてスイッチング素子Ｑ７のゲートがプルアップされ、これによりスイッチング素子Ｑ７がオンして電源オフ時操作電源供給経路が導通状態となり、電池電圧に基づく作動電圧が電源スイッチ兼用走査スイッチＳＷ１〜ＳＷ４に供給される。一方、マイクロプロセッサ１から自己保持信号電圧が出力されているときは、スイッチング素子Ｑ８がオンしてスイッチング素子Ｑ７のゲートがグラウンドに接地され、これによりスイッチング素子Ｑ７がオフして電源オフ時操作電源供給経路が遮断状態となり、当該経路を介したスイッチＳＷ１〜ＳＷ４への作動電圧の供給が遮断される。なお、異なる走査信号線３への上記作動パルス信号電圧の印加を防止するため、異なる走査信号線３に接続されたスイッチ同士はそれぞれスイッチング素子Ｑ７に対して逆流防止ダイオードＤ２を介して並列に接続されている。
【００２６】
而して、上記スイッチング素子Ｑ７及びＱ８によって、マイクロプロセッサ１が自己保持信号電圧を出力している間は電源オフ時操作電源供給経路を開くとともに、マイクロプロセッサ１が自己保持信号電圧を出力していない間は電源オフ時操作電源供給経路を閉じる第２の開閉手段が回路構成されている。
【００２７】
電源スイッチ兼用操作スイッチＳＷ１〜ＳＷ４以外のその他の操作スイッチＳＷ５，ＳＷ６には上記電源オフ時操作電源供給経路は設けられておらず、これらスイッチＳＷ５，ＳＷ６は電源スイッチとしては機能しない。
【００２８】
電源スイッチ兼用操作スイッチとしては適宜の調理設定用スイッチを割り当てることができるが、例えば、炊飯モードを選択するためのスイッチ、麺ゆでモードを選択するためのスイッチ、あぶり調理モードを選択するためのスイッチ、湯沸かしモードを選択するためのスイッチ、揚げ物調理モードを選択するためのスイッチ、あたためモードを選択するためのスイッチ、各種オート調理メニューを呼び出すためのスイッチ、タイマー設定スイッチなどを割り当て可能である。
【００２９】
上記第１実施形態に係る操作入力回路を具備する電池式コンロによれば、マイクロプロセッサ１から自己保持信号電圧が出力されておらず、且つ、電源スイッチ兼用操作スイッチＳＷ１〜ＳＷ４のいずれからも操作検出信号電圧が出力されていないときは、制御電源供給経路を開くことによりマイクロプロセッサ１への制御電源電圧の供給を遮断し、これによりマイクロプロセッサ１の待機電力分の電力消費を削減できる。かかる電源断状態でユーザーが電源スイッチ兼用操作スイッチＳＷ１〜ＳＷ４のいずれかを操作すると、操作検出信号がスイッチング素子Ｑ３に出力され、これにより制御電源供給経路が閉じてマイクロプロセッサ１に制御電源電圧が供給されて、マイクロプロセッサ１が起動する。マイクロプロセッサ１は、起動すると自己保持信号の出力制御を開始し、所定の電源断条件を満たすまで継続的に自己保持信号電圧を出力することによりマイクロプロセッサ１自身への制御電源電圧の供給を継続させるとともに、電源断条件を満たすと自己保持信号電圧の出力を停止することによりマイクロプロセッサ１自身への制御電源電圧の供給を遮断する。
【００３０】
また、マイクロプロセッサ１に制御電源電圧が供給され、マイクロプロセッサ１が自己保持信号電圧を出力しているときは、該自己保持信号電圧はスイッチング素子Ｑ８にも出力され、これにより電源オフ時操作電源供給経路が開かれて、電源オフ時操作電源供給経路を介した電源スイッチ兼用操作スイッチＳＷ１〜ＳＷ４への作動電圧の供給が遮断される。また、起動中のマイクロプロセッサ１は、複数の走査信号線３を順次オンするための作動パルス信号を各走査信号線３に出力することにより複数の操作スイッチＳＷ１〜ＳＷ６のダイナミックスキャン動作を行うことにより、多数の操作スイッチを低消費電力で検出できる。
【００３１】
このように、本実施形態によれば、ダイナミックスキャンにより操作状態の検出が行われる多数の操作スイッチのうち、調理開始時に最初に操作される操作スイッチＳＷ１〜ＳＷ４を電源兼用スイッチとして構成することにより、調理開始時のユーザーの操作を簡素化し、一層の利便性の向上を図ることができる。
【００３２】
本発明は上記実施形態に限定されるものではなく、適宜設計変更できる。例えば、電源オン時操作電源供給経路は、図２に示すように、電池２の正極と電源スイッチ兼用操作スイッチＳＷ１〜ＳＷ４とをｐｎｐ型トランジスタＱ９を介して接続する電路によって構成でき、該トランジスタＱ９を、マイクロプロセッサ１の操作用出力ポートＣＯＭ１〜ＣＯＭ３から出力される制御信号に基づいてトランジスタＱ１０によって駆動するよう構成することもできる。この回路構成では、電源オン時操作電源供給経路は、電池電圧に基づく作動電圧をマイクロプロセッサ１を介さずにスイッチＳＷ１〜ＳＷ４に供給するが、かかる作動電圧を供給するか否かをマイクロプロセッサ１のＣＯＭ出力によって制御する。
【００３３】
また、上記実施形態では、第１の開閉手段を構成するスイッチング素子Ｑ１〜Ｑ３をマイクロプロセッサ１の外部に設けたが、マイクロプロセッサ１に第１の開閉手段を構成する自己保持回路が内蔵されていてもよい。同様に、第２の開閉手段を構成するスイッチング回路がマイクロプロセッサ１に内蔵されていてもよい。
【符号の説明】
【００３４】
１    制御部（マイクロプロセッサ）
２    電池
Ｑ１〜Ｑ３  制御電源供給経路を開閉する第１の開閉手段
Ｑ４〜Ｑ６  電源オン時操作電源供給経路を開閉する開閉手段
Ｑ７，Ｑ８  電源オフ時操作電源供給経路を開閉する第２の開閉手段
Ｑ９，Ｑ１０  電源オン時操作電源供給経路を開閉する開閉手段
ＳＷ１〜ＳＷ４  操作部（電源スイッチ兼用操作スイッチ）
ＳＷ５，ＳＷ６  その他の操作スイッチ
【図１】
2016217677.tif 000003
【図２】
2016217677.tif 000004